(57)【要約】【課題】  複数枚の薄板を重ね合せた積層板、無数の小さい木片を接着剤にて固めたパーティクルボード、ＯＳＢ、木粉を接着剤にて固めたＭＤＦ、突板を貼ったボードなど、無垢材以外から成るボードの提供。【解決手段】  該積層板１の表面３には木目４，４・・・を形成したシールを貼ることなく剥き出し状態とし、また木口５には透明な木口材６を取付けて木口５の状態が分かるようにしている。【選択図】    図１
2018027629.tif 000002
【特許請求の範囲】
【請求項１】
複数枚の薄板を重ね合せた積層板、小さい木材を接着剤で再構成して作る集成材、無数の小さい木片を接着剤にて固めたパーティクルボード及びＯＳＢ、木粉を接着剤にて固めたＭＤＦ、突板を貼ったボードなど、無垢材以外から成るボードにおいて、表面を剥き出し状態とし、木口には透明な木口材を取付けたことを特徴とする木製ボード。
【請求項２】
複数枚の薄板を重ね合せた積層板、小さい木材を接着剤で再構成して作る集成材、無数の小さい木片を接着剤にて固めたパーティクルボード及びＯＳＢ、木粉を接着剤にて固めたＭＤＦ、突板を貼ったボードなど、無垢材以外から成るボードの木口に取付ける木口材において、該木口材は透明で取付けた状態で木口面を隠すことなく見えるようにしたことを特徴とする木製ボードの木口材。
【請求項３】
一定厚さで一定幅の帯状で形成した請求項２記載の木製ボードの木口材。
【請求項４】
一定幅の帯状の両側に側片を設けてコ形断面とした請求項２記載の木製ボードの木口材。
【請求項５】
中央部に脚を突出して設けると共に該脚にはノコ歯を形成した請求項２記載の木製ボードの木口材。
【発明の詳細な説明】
【技術分野】
【０００１】
本発明は木の質感を表面化した木製ボード及び該ボードの木口に取付ける木口材に関するものである。
【背景技術】
【０００２】
住宅の建具材を製作するに際して、昔は無垢の材料を使用して所定のサイズに切断した材料を用い、必要に応じて該材料の表面を塗装していた。このように無垢材を用いるならば材料費は高くなり、また無垢材は期間が経過して乾燥することで収縮し、反るなどして変形してしまうといった問題がある。特に板材として使う場合には十分に乾燥することが必要である。
【０００３】
ところで、近年では家具や建具を製作するに当たって無垢材を用いることは殆どなく、板材であれば薄い板を重ね合せて構成した積層板が使用される。また、小さな無垢の木片を巾方向と長さ方向に接着して作られるフリー板が使用されている。さらに、木製チップを接着剤にて固めたパーティクルボードや木粉を接着剤で固めたＭＤＦなるものが多用されている。
このように構成したボードは無垢材を使用したボードに比較して材料費が安くなり、しかも木材を無駄なく使うことが可能であって環境保全の上からも有用である。
【０００４】
これら板材（ボード）は工場にて製作され、棚板、テーブル板、ドア（扉）などの家具類や建具類の部材として使用されるが、表面には木目を印刷などで形成したシートを貼り合わせ、また木口には表面シートと同じ木目を有す木口材が取付けられる。したがって、外観上は無垢材から成るボードであるかのように見え、ボードとしての品質及び商品価値の向上を図っている。
【０００５】
特開平９−２３９９４１号に係る「積層化粧板の製造方法」は、耐久性、加工性、意匠性などに優れ、基材表面から木口まで合成樹脂系化粧材を継ぎ目なく貼着し、しかも温・湿度差の変化による“そり”、“ねじれ”や“化粧材の剥離及びクラック”の発生のないようにしている。
そこで、基材の両表面のうち少なくとも一表面及び少なくとも一方の木口に合成樹脂系表面化粧材をその融点以下、軟化点以上に加熱して該基材の表面及び木口に沿わしめ、該基材の表面と合成樹脂系表面化粧材を厚み０．０５〜１．５ｍｍの両面粘着テープを用いて接合している。
【０００６】
特開平６−２８５８１０号に係る「木材積層板」は、木口の繊維方向を一定として体裁をよくし、木材積層板にフィンガー加工を施して、フィンガー継目による接続を可能としている。
木材積層板の所定の端面に対して繊維方向が平行する単板の端縁を他の単板の端縁より引込ませ、上記の引込んだ部分に単板の繊維の方向と平行する方向の繊維を有する埋木を埋め込んで接着している。
【特許文献１】特開平９−２３９９４１号に係る「積層化粧板の製造方法」
【特許文献２】特開平６−２８５８１０号に係る「木材積層板」
【発明の開示】
【発明が解決しようとする課題】
【０００７】
このように、積層板やパーティクルボードの表面に木目を形成したシートを貼り合わせ、及び木口には同じ木目を形成した木口材を取付けることで無垢材を用いたボードであるかのような外観としている。このようなボードはそれなりの価値はあるが、積層板やパーティクルボードであることを隠すことなく、そのままの外観を表面化したボード及び該ボードの木口に取付ける木口材を提供する。
【課題を解決するための手段】
【０００８】
本発明が対象とするボードは、複数枚の薄板を積層して構成される積層板、無数の木片チップを接着剤を介して固めたパーティクルボード、配向性ストランドボード（ＯＳＢ）、木粉を接着剤によって固めたＭＤＦ、及び木材を０．２ｍｍ〜０．６ｍｍに薄くスライスした板材を貼ったボードなどである。本発明ではこれらのボードの表面に木目を形成したシートを貼り合わすことなく、そのままの表面を露出したボードとして構成する。
【０００９】
そこで、積層板であれば、その表面から判断すれば無垢材のように見えるが、木口を見れば複数枚の薄板の端面が表面化する為に積層板であることが分かる。またパーティクルボードであれば、その表面に小さい木片チップが表面化している。さらにＭＤＦは木粉を固めたものであることがボード表面からも分る。
一方、木口には木口材を取付けられるが、この木口材は従来のような木目を形成されることなく透明であり、該木口材を通してボードの木口状態が分かるようになっている。
【発明の効果】
【００１０】
本発明のボードはその表面に木目シート貼着せず、また木口に木目を形成した木口材を取付けていない。従って、ボードの真の構造が表面化し、このようなボードを用いて家具や建具を製作することで、従来には見たことのない一風変わった外観を呈す家具や建具となる。勿論、全ての人の好みに合うものではないが、建物にしてもコンクリート剥き出しで表面仕上げをすることなく、またタイルを貼ることのない建物が一部で好まれているが、これと同じように家具や建具にしてもボードの表面を隠さないで使用することも一部では好まれる。
【００１１】
しかも、木口に関しては手が接触してケガする虞がある為に、また木口から水分が浸透しないように該木口を保護する目的で木口材が取付けられている。しかし、木口材は透明である為にボードの木口面は表面化してボードの構造が分かるようにしている。
【図面の簡単な説明】
【００１２】
【図１】複数枚の薄板を積層した積層板を示す本発明の実施例。
【図２】木口に取付ける木口材を示す具体例。
【図３】木口材を木口に取付けた場合の断面図。
【図４】パーティクルボードを示す本発明の実施例。
【発明を実施するための形態】
【００１３】
図１は本発明に係る木製ボードの１つである積層板１を示す具体例であり、該積層板１は複数の薄板２ａ，２ｂ，２ｃ・・・が接着剤にて接着して構成している。上記薄板２ａ，２ｂ，２ｃ・・・はそれぞれに形成している木目によって方向性があるが、このように互いに重なり合って積層されることで、該積層板１の方向性はなく、その為に乾燥しても反りを生じることは極めて少ない。
【００１４】
従来の積層板であれば、表面に木目を形成したシートを貼着し、木口にも同じ木目を有す木口材を取付けて、積層板ではなくて無垢材を使用した板材（ボード）であるような外観と成っている。
しかし、本発明では表面３に木目シートを貼り合せることなく、薄板２ａの表面がそのまま露出した外観を呈している。従って、薄板２ａが有す木目４，４，４・・・がそのまま表面化している。
【００１５】
そして、木口５には木口材６を取付けているが、該木口材６は透明な樹脂製であり、その為に積層されている各薄板２ａ，２ｂ，２ｃ・・・の端面は見える。大きな積層板１を用途に応じて必要なサイズに切断して使われるが、該木口５は積層板１の切断面となり、帯鋸や円盤カッターなどで切断した木口５には細かいトゲが存在し、トゲが刺さって怪我しないように透明な木口材７を取付けている。また、該木口５からは水分が浸透し易いために、該木口５を保護する為にも木口材６が取付けられる。
【００１６】
ところで、上記木口材６は接着剤にて接着されているが、該木口に取付ける手段としては接着剤に限定するものではない。そして、木口材６は薄い透明なシートとして構成する場合もある。
図２は木口材６を示す具体例であり、（ａ）は平木口材６ａ、（ｂ）はコ形木口材６ｂ、（ｃ）は脚付き木口材６ｃをそれぞれ表している。
【００１７】
平木口材６ａは一定幅の帯状で、積層板１の木口５に接着剤を介して取付けられる。コ形木口材６ｂはその断面をコ形とし、両側には側片７，７を有し、積層板１の木口５に接着されると共に上記側片７，７は縁に被さって取付けられる。
そして、脚付き木口材６ｃは中央部に脚８を延ばし、該脚８にはノコ歯９，９・・・を形成している。
【００１８】
図３はボード木口５に木口材６を取付けた断面を示している。
（ａ）は平木口材６ａを木口５に取付けた断面図を示しているが、該平木口材６ａは接着されている。
（ｂ）はコ形木口材６ｂを取付けた場合の断面図であり、両側片７，７はボードの縁に被さっている。
（ｃ）は脚付き木口材６ｃを木口５に取付けた場合の断面図である。脚８を介して木口５に取付けられるが、その為に木口５には嵌入溝１０が設けられ、該嵌入溝１０に脚８が嵌って取付けられる。該脚付き木口材６ｃは嵌入溝１０に脚８が嵌ると共にノコ歯９，９・・・が食い込むことで接着剤を用いることなく取付けることが出来、また取外しも可能である。
【００１９】
図４は本発明に係るパーティクルボード１１を示す具体例であり、このパーティクルボード１１の場合も前記積層板１の場合と同じく表面１２は剥き出し状態とし、木口１３には木口材１４を取付けている。しかも、該木口材１４は透明樹脂で構成され、その為に該木口１３は木口材１４で保護されるが、見えないように隠れることはない。
【符号の説明】
【００２０】
１   積層板
２   薄板
３   表面
４   木目
５   木口
６   木口材
７   側片
８   脚
９   ノコ歯
10   嵌入溝
11   パーティクルボード
12   表面
13   木口
14   木口材
【図１】
2018027629.tif 000003
【図２】
2018027629.tif 000004
【図３】
2018027629.tif 000005
【図４】
2018027629.tif 000006